(57)【要約】      （修正有）【課題】無線通信システムにおいて１対１のサイドリンク通信でＵＥのモビリティを処理するための方法および装置を提供する。【解決手段】ターゲット側ＵＥ（ユーザ機器）との１対１のサイドリンク通信を確立するための開始側ＵＥの観点からの方法であって、１対１のサイドリンク通信を確立するために使用される第１のＰＣ５シグナリングを送信し、第１のＰＣ５シグナリングはターゲット側ＵＥのアイデンティティおよびＶ２Ｘ（Vehicle-to-Everything）サービスのアイデンティティを含む。【選択図】図２１
2020102842.tif 000002
【特許請求の範囲】
【請求項１】
ターゲット側ＵＥ（ユーザ機器）と１対１のサイドリンク通信を確立する開始側ＵＥのための方法であって、
前記１対１のサイドリンク通信を確立するために使用される第１のＰＣ５シグナリングを送信することであって、該第１のＰＣ５シグナリングは、前記ターゲット側ＵＥのアイデンティティおよびＶ２Ｘ（Vehicle-to-Everything）サービスのアイデンティティを含む、送信することを含む方法。
【請求項２】
前記開始側ＵＥは、ディスカバリ手順または１対多のサイドリンク通信を介して前記ターゲット側ＵＥの存在を認識する、請求項１に記載の方法。
【請求項３】
前記第１のＰＣ５シグナリングは、前記Ｖ２Ｘサービスを提供するＶ２Ｘアプリケーションのアイデンティティを含む、請求項１に記載の方法。
【請求項４】
前記第１のＰＣ５シグナリングは、前記開始側ＵＥのアイデンティティを含む、請求項１に記載の方法。
【請求項５】
前記第１のＰＣ５シグナリングは、Ｖ２Ｘアプリケーションまたは前記Ｖ２ＸサービスのためのＰＣ５  ＱｏＳフローの要求されたＰＣ５  ５ＱＩ、ＱｏＳ（Quality  of  Service）パラメータまたはＱｏＳプロファイルを含む、請求項１に記載の方法。
【請求項６】
前記第１のＰＣ５シグナリングは、前記Ｖ２ＸサービスまたはＶ２Ｘアプリケーションに関連付けられたブロードキャストアドレスに送信される、請求項１に記載の方法。
【請求項７】
前記第１のＰＣ５シグナリングは直接通信要求メッセージである、請求項１に記載の方法。
【請求項８】
前記ターゲット側ＵＥから第２のＰＣ５シグナリングを受信することであって、該第２のＰＣ５シグナリングは、前記１対１のサイドリンク通信の確立を完了するために使用される、受信することをさらに含む、請求項１に記載の方法。
【請求項９】
前記第２のＰＣ５シグナリングは、Ｖ２Ｘアプリケーションまたは前記Ｖ２ＸサービスのためのＰＣ５  ＱｏＳフローの承諾されたＰＣ５  ５ＱＩ、ＱｏＳパラメータまたはＱｏＳプロファイルを含む、請求項８に記載の方法。
【請求項１０】
前記第２のＰＣ５シグナリングは直接通信承諾メッセージである、請求項８に記載の方法。
【請求項１１】
開始側通信デバイスであって、
制御回路と、
前記制御回路に設けられたプロセッサと、
前記制御回路内に設置され、前記プロセッサに動作可能に結合されたメモリと、を含み、
前記プロセッサは、前記メモリ内に記憶されたプログラムコードを実行して、
１対１のサイドリンク通信を確立するために使用される第１のＰＣ５シグナリングを送信することであって、該第１のＰＣ５シグナリングは、ターゲット側通信デバイスのアイデンティティおよびＶ２Ｘ（Vehicle-to-Everything）サービスのアイデンティティを含む、送信することをするように構成された、開始側通信デバイス。
【請求項１２】
当該開始側通信デバイスは、ディスカバリ手順または１対多のサイドリンク通信を介して前記ターゲット側通信デバイスの存在を認識する、請求項１１に記載の開始側通信デバイス。
【請求項１３】
前記第１のＰＣ５シグナリングは、前記Ｖ２Ｘサービスを提供するＶ２Ｘアプリケーションのアイデンティティを含む、請求項１１に記載の開始側通信デバイス。
【請求項１４】
前記第１のＰＣ５シグナリングは、前記開始側通信デバイスのアイデンティティを含む、請求項１１に記載の開始側通信デバイス。
【請求項１５】
前記第１のＰＣ５シグナリングは、Ｖ２Ｘアプリケーションまたは前記Ｖ２ＸサービスのためのＰＣ５  ＱｏＳフローの要求されたＰＣ５  ５ＱＩ、ＱｏＳ（Quality  of  Service）パラメータまたはＱｏＳプロファイルを含む、請求項１１に記載の開始側通信デバイス。
【請求項１６】
前記第１のＰＣ５シグナリングは、前記Ｖ２ＸサービスまたはＶ２Ｘアプリケーションに関連付けられたブロードキャストアドレスに送信される、請求項１１に記載の開始側通信デバイス。
【請求項１７】
前記第１のＰＣ５シグナリングは直接通信要求メッセージである、請求項１１に記載の開始側通信デバイス。
【請求項１８】
前記プロセッサは、前記ターゲット側通信デバイスから第２のＰＣ５シグナリングを受信することであって、該第２のＰＣ５シグナリングは、前記１対１のサイドリンク通信の確立を完了するために使用される、受信することをさらにするように構成された、請求項１１に記載の開始側通信デバイス。
【請求項１９】
前記第２のＰＣ５シグナリングは、Ｖ２Ｘアプリケーションまたは前記Ｖ２ＸサービスのためのＰＣ５  ＱｏＳフローの承諾されたＰＣ５  ５ＱＩ、ＱｏＳ（Quality  of  Service）パラメータまたはＱｏＳプロファイルを含む、請求項１８に記載の開始側通信デバイス。
【請求項２０】
前記第２のＰＣ５シグナリングは直接通信承諾メッセージである、請求項１８に記載の開始側通信デバイス。
【発明の詳細な説明】
【技術分野】
【０００１】
本願は、２０１８年１２月２４日に出願された米国仮特許出願第６２／７８４，６３１号の利益を主張するものであり、そのすべての開示はその全体が参照により本明細書に援用される。
【０００２】
この開示は、概して、無線通信ネットワークに関連し、より詳細には、無線通信システムにおいて１対１のサイドリンク通信でＵＥのモビリティを処理するための方法および装置に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
ターゲット側ＵＥ（ユーザ機器）との１対１のサイドリンク通信を確立するための開始側ＵＥの観点からの方法および装置が開示される。一実施形態では、方法は、１対１のサイドリンク通信を確立するために使用される第１のＰＣ５シグナリングを送信することを含み、第１のＰＣ５シグナリングはターゲット側ＵＥのアイデンティティおよびＶ２Ｘ（Vehicle-to-Everything）サービスのアイデンティティを含む。
【図面の簡単な説明】
【０００６】
【図１】１つの例示的な実施形態による無線通信システムの図を示す。
【図２】１つの例示的な実施形態による送信機システム（アクセスネットワークとしても知られている）および受信機システム（ユーザ機器またはＵＥとしても知られている）のブロック図である。
【図３】１つの例示的な実施形態による通信システムの機能ブロック図である。
【図４】１つの例示的な実施形態による図３のプログラムコードの機能ブロック図である。
【図５】３ＧＰＰ  ＴＲ  ２３．７８６  Ｖ１．０．０の図６．１１．３．１−１の複製である。
【図６】３ＧＰＰ  ＴＲ  ２３．７８６  Ｖ１．０．０の図６．１１．３．１−２の複製である。
【図７】３ＧＰＰ  ＴＲ  ２３．７８６  Ｖ１．０．０の図６．１１．３．３−１の複製である。
【図８】３ＧＰＰ  ＴＲ  ２３．７８６  Ｖ１．０．０の図６．１９．２．１．２−１の複製である。
【図９】３ＧＰＰ  ＴＳ  ３６．３２１  Ｖ１５．３．０の図６．１．３．１ａ−１の複製である。
【図１０】３ＧＰＰ  ＴＳ  ３６．３２１  Ｖ１５．３．０の図６．１．３．１ａ−２の複製である。
【図１１】１つの例示の実施形態による図である。
【図１２】１つの例示の実施形態による図である。
【図１３】１つの例示の実施形態による図である。
【図１４】１つの例示の実施形態による図である。
【図１５Ａ】１つの例示の実施形態による図である。
【図１５Ｂ】１つの例示の実施形態による図である。
【図１５Ｃ】１つの例示の実施形態による図である。
【図１５Ｄ】１つの例示の実施形態による図である。
【図１６】１つの例示の実施形態によるフローチャートである。
【図１７】１つの例示の実施形態によるフローチャートである。
【図１８】１つの例示の実施形態による図である。
【図１９】１つの例示の実施形態による図である。
【図２０】１つの例示の実施形態によるフローチャートである。
【図２１】１つの例示の実施形態によるフローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロング・ターム・エボリューション）無線アクセス、３ＧＰＰ  ＬＴＥ−ＡもしくはＬＴＥ−Ａｄｖａｎｃｅｄ（ロング・ターム・エボリューション・アドバンスト）、３ＧＰＰ２  ＵＭＢ（Ultra  Mobile  Broadband：超モバイル広帯域）、ＷｉＭａｘ、３ＧＰＰ  ＮＲ（New  Radio）、またはその他何らかの変調技術に基づいてよい。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、RAN2  #104  Chairman’s  Note;  3GPP  TR  23.786  V1.0.0,  “Study  on  architecture  enhancements  for  EPS  and  5G  System  to  support  advanced  V2X  services”;およびTS  36.321  V15.3.0,  “Evolved  Universal  Terrestrial  Radio  Access  (E-UTRA);  Medium  Access  Control  (MAC)  protocol  specification”を含む。上記に挙げた標準および文書は、その全体が参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、アクセスポイント、ノードＢ、基地局、拡張型基地局、進化型ノードＢ（ｅＮＢ）、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をディジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＬＴＥシステムまたはＮＲシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  ＲＡＮ２  ＃１０４  Ｃｈａｉｒｍａｎ’ｓ  Ｎｏｔｅに記載されているように、３ＧＰＰ  ＲＡＮ２  ＃１０４  ｍｅｅｔｉｎｇは、ＮＲ（New  RAT／Radio）ｅＶ２Ｘ（Enhanced  Vehicle  to  Everyting）サイドリンク通信について以下の合意をした：
［外１］
2020102842.tif 000003
2020102842.tif 000004
2020102842.tif 000005
2020102842.tif 000006
2020102842.tif 000007
【００２６】
３ＧＰＰ  ＴＲ  ２３．７８６  Ｖ１．０．０は、ｅＶ２Ｘ通信に対して以下の解決策を導入した：
［外２］
2020102842.tif 000008
2020102842.tif 000009
2020102842.tif 000010
2020102842.tif 000011
2020102842.tif 000012
［“UE  oriented  layer  2  link  establishment  procedure”と題する、３ＧＰＰ  ＴＲ  ２３．７８６  Ｖ１．０．０の図６．１１．３．１−１は、図５として複製される］
［外３］
2020102842.tif 000013
［“V2X  Service  oriented  layer  2  link  establishment  procedure”と題する、３ＧＰＰ  ＴＲ  ２３．７８６  Ｖ１．０．０の図６．１１．３．１−２は、図６として複製される］
［外４］
2020102842.tif 000014
［“Layer-2  link  identifier  update  procedure”と題する、３ＧＰＰ  ＴＲ  ２３．７８６  Ｖ１．０．０の図６．１１．３．３−１は、図７として複製される］
［外５］
2020102842.tif 000015
2020102842.tif 000016
2020102842.tif 000017
2020102842.tif 000018
2020102842.tif 000019
［“Establishment  of  secure  layer-2  link  over  PC5”と題する、３ＧＰＰ  ＴＲ  ２３．７８６  Ｖ１．０．０の図６．１９．２．１．２−１は、図８として複製される］
［外６］
2020102842.tif 000020
2020102842.tif 000021
【００２７】
３ＧＰＰ  ＴＳ  ３６．３２１  Ｖ１５．３．０は、以下を記載している：
［外７］
2020102842.tif 000022
［“Sidelink  BSR  and  Truncated  Sidelink  BSR  MAC  control  element  for  even  N”と題する、３ＧＰＰ  ＴＳ  ３６．３２１  Ｖ１５．３．０の図６．１．３．１ａ−１は、図９として複製される］
［“Sidelink  BSR  and  Truncated  Sidelink  BSR  MAC  control  element  for  odd  N”３ＧＰＰ  ＴＳ  ３６．３２１  Ｖ１５．３．０の図６．１．３．１ａ−２は、図１０として複製される］
【００２８】
３ＧＰＰ  ＲＡＮ２  ＃１０４  Ｃｈａｉｒｍａｎ’ｓ  Ｎｏｔｅでは、ＰＣ５リファレンスポイントを介したＶ２Ｘ通信のためのユニキャスト（すなわち１対１）またはマルチキャスト（すなわち１対多）のためのソリューションが導入された。このソリューションに基づいて、ＵＥ−１（すなわち、開始側ＵＥ）は、ユニキャストリンク確立に使用されるレイヤ２リンク確立中に、ＵＥ−２（すなわち、ターゲット側ＵＥ）に直接通信要求（Direct  Communication  Request）メッセージを送信する。直接通信要求メッセージの受信に応答して、ＵＥ−２はＵＥ−１に直接通信承諾（Direct  Communiation  Accept）を応答する。図１１に図示し、以下に論じられるように、３ＧＰＰ  ＲＡＮ２  ＃１０４  Ｃｈａｉｒｍａｎ’ｓ  Ｎｏｔｅのソリューションに加えるＶ２Ｘサービスのための１対１のサイドリンク通信のフェーズを紹介する：
【００２９】
Ｉ．  プリアンブル（図１２に図示）
【００３０】
このフェーズでは、ＵＥ−１はＲＲＣ＿ＣＯＮＮＥＣＴＥＤ状態（またはモード）にあってもよい。ＵＥ−１がＶ２Ｘサービスに関心がある場合、ＵＥ−１はサービス認可のためにコアネットワーク（例えばＶ２Ｘ制御機能）に要求することができる。おそらく、ＵＥ−１にサービス認可中に、Ｖ２ＸサービスのためのＰＣ５  ＱｏＳ（Quality  of  Service）情報（例えば、ＰＣ５  ５ＱＩ／ＱｏＳパラメータ、ＰＣ５  ＱｏＳルールなど）を提供または設定することができる。サービス認可の完了後、ＵＥ−１は、ディスカバリ手順、１対多のサイドリンク通信（すなわち、ＵＥ−１の近傍でＵＥ−２によって送信されるＶ２Ｘメッセージの受信）等を介してＵＥ−２の存在を認識することができる。なお、５ＱＩ（５Ｇ  ＱｏＳ識別子）はＶＱＩ（Ｖ２Ｘ  ＱｏＳ識別子）とも呼ばれることがあると留意されたい。
【００３１】
ＩＩ．  ＰＣ５シグナリングのためのＳＬ  ＬＣＨ設定（図１３に図示）
【００３２】
一実施形態では、ＵＥ−１内のＶ２Ｘアプリケーションは、ＵＥ−２への１対１のサイドリンク通信をトリガしてもよい。この状況では、ＰＣ５制御シグナリングのための送信リソースの割り当てを要求する第１のＲＲＣ（無線リソース制御）メッセージ（すなわち、SidelinkUEInformation）を基地局（またはｇＮＢ）に送信することができる。
【００３３】
第１のＲＲＣメッセージでは、コンテンツは以下のうちの少なくとも１つを含むことができる：
・  宛先リストに含まれ得るＵＥ−２の宛先アイデンティティ；
・  Ｖ２Ｘアプリケーションのアイデンティティ（例えばＩＴＳ−ＡＩＤ）；および／または
・  Ｖ２Ｘアプリケーションによって提供されるサービスのアイデンティ（例えばＰＳＩＤ）。
【００３４】
第１のＲＲＣメッセージの受信に応答して、基地局は、ＲＲＣ設定を割り当てる第２のＲＲＣメッセージ（例えば、RRCConnectionReconfiguration）をＵＥ−１に送信することができる。
【００３５】
第２のＲＲＣメッセージでは、コンテンツは以下のうちの少なくとも１つを含むことができる：
・  ＰＣ５制御シグナリングに使用されるサイドリンク論理チャネル、例えばＳＣＣＨ（サイドリンク制御チャネル）のアイデンティティ；
・  サイドリンク論理チャネルの優先度；および／または
・  サイドリンク論理チャネルのための論理チャネル・グループ（ＬＣＧ）のアイデンティティ。
【００３６】
第２のＲＲＣメッセージにより、ＵＥ−１はＰＣ５制御シグナリングに使用されるサイドリンク論理チャネルを生成することができる。サイドリンク論理チャネルは、ＵＥ−２への直接通信要求メッセージの送信に使用されることができる。直接通信要求メッセージは、ＲＲＣメッセージまたはＮＡＳ（Non-Access  Stratum）メッセージとすることができる。
【００３７】
ＩＩＩ．  １対１のサイドリンクの確立（図１４に図示）
【００３８】
直接通信要求メッセージがサイドリンク送信に利用可能である場合に、ＵＥ−１は、直接通信要求メッセージのサイドリンク送信のためにサイドリンクリソースを割り当てるためにサイドリンクバッファステータスレポートを基地局に送信することができる。直接通信要求メッセージのサイドリンク送信のためのサイドリンクリソースを受信した後、ＵＥ−１はサイドリンクリソースに基づいてサイドリンク送信を実行することができる。
【００３９】
一実施形態では、直接通信要求メッセージは、以下のうちの少なくとも１つを含むことができる：
・  どのアプリケーションをアクティブにするかをＵＥ−２に示すために使用されるＶ２Ｘアプリケーションのアイデンティティ；
・  どのサービスをアクティブにするかをＵＥ−２に示すために使用されるＶ２Ｘアプリケーションによって提供されるサービスのアイデンティティ；
・  （要求された）Ｖ２ＸアプリケーションまたはＶ２ＸサービスのＱｏＳフローのＰＣ５  ５ＱＩ；および／または
・  （要求された）Ｖ２ＸアプリケーションまたはＶ２ＸサービスのＱｏＳフローのＰＣ５  ＱｏＳパラメータ／レベル／プロファイル。
【００４０】
ＵＥ−１は、ＵＥ−２から直接通信承諾メッセージを受信することができる。
おそらく、直接通信承諾メッセージは、以下のうちの少なくとも１つを含むことができる：
・  （承諾された）Ｖ２ＸアプリケーションまたはＶ２ＸサービスのためのＱｏＳフローのＰＣ５  ５ＱＩ；
・  （承諾された）Ｖ２ＸアプリケーションまたはＶ２ＸサービスのためのＱｏＳフローのＰＣ５  ＱｏＳパラメータ／レベル／プロファイル。
【００４１】
直接通信要求メッセージと直接通信承諾メッセージを交換した後、ＵＥ−１とＵＥ−２は、１対１のサイドリンク通信のために５つのタプル（例えば、送信元ＩＰアドレス、宛先ＩＰアドレス、送信元ポート番号、宛先ポート番号およびプロトコルＩＤ）を決定するためのＩＰアドレス設定手順を実行することができる。また、ＩＰアドレス設定手順は、直接通信要求メッセージと直接通信承諾メッセージ（すなわち、両方の手順を１つにまとめたもの）でなすこともあり得る。
【００４２】
ＩＶ．  ＳＴＣＨ設定（図１５Ａ〜図１５Ｄに図示）
【００４３】
図１５Ａに示されるように、１対１のサイドリンク通信リンクの確立を完了した後、ＵＥ−１は、１対１のサイドリンク通信のための送信リソースの割り当てを要求するためにＲＲＣメッセージ（例えば、UEAssistanceInformation）を基地局に送信することができる。
【００４４】
ＲＲＣメッセージでは、コンテンツは以下のうちの少なくとも１つを含むことができる：
ＵＥ−２のアイデンティティ；
Ｖ２Ｘアプリケーションのアイデンティティ；
Ｖ２Ｘアプリケーションによって提供されるサービスのアイデンティティ；
Ｖ２ＸアプリケーションまたはＶ２ＸサービスのためのＱｏＳフローのＰＣ５  ５ＱＩ；および／または
Ｖ２ＸアプリケーションまたはＶ２ＸサービスのためのＱｏＳフローのＰＣ５  ＱｏＳパラメータ、レベル、またはプロファイル。
【００４５】
ＲＲＣメッセージにより、基地局は、コアネットワーク（例えば、Ｖ２Ｘ制御機能）とのＱｏｓフローのＰＣ５  ５ＱＩおよび／またはＱｏＳフローのＰＣ５  ＱｏＳパラメータ、レベルまたはプロファイルを検証することができる。次いで、基地局は、ＲＲＣメッセージの受信に応答して、再設定メッセージ（例えば、RRCConnectionReconfiguration、ＲＲＣメッセージ）をＵＥ−１に送信することができる。
【００４６】
サイドリンク論理チャネル（例えば、ＳＴＣＨ（サイドリンクトラフィックチャネル））のリストは、再設定メッセージに含めることができ、各サイドリンク論理チャネルに対して、再設定メッセージは、以下のうちの少なくとも１つを含むことができる：
・  サイドリンクトラフィックに使用されるサイドリンク論理チャネルのアイデンティティ；
・  サイドリンク論理チャネルの優先度；
・  サイドリンク論理チャネルに関連付けられたサイドリンク論理チャネルグループ（ＬＣＧ）のアイデンティティ；および／または
・  サイドリンク論理チャネルにマップされたＱｏＳフローのアイデンティティ。
【００４７】
上記の再設定メッセージに基づいて、ＵＥ−１は、１対１のサイドリンク通信のために、少なくともサイドリンク論理チャネル（例えば、ＳＴＣＨ）を生成することができる。
さらに、ＵＥ−１は、サイドリンク論理チャネルを対応するサイドリンクＬＣＧに関連付けることができる。さらに、ＵＥ−１は対応するサイドリンク論理チャネルへのＱｏＳフローのマッピングを記憶することができる。
【００４８】
図１５Ｂに図示するように、ＵＥ−１とＵＥ−２が同じ基地局によってサービスされる場合、ＵＥ−１とＵＥ−２は、ＵＥ−１によって使用される再設定メッセージの内容を共有することができる（ＱｏＳ要件が、Ｖ２ＸアプリケーションについてＵＥ−１とＵＥ−２に対して同じとすべきため）。ＵＥ−１は、制御シグナリングに使用されるサイドリンク論理チャネル（例えば、ＳＣＣＨ）でＰＣ５−ＲＲＣメッセージをＵＥ−２に送信することができる。ＰＣ５−ＲＲＣメッセージのコンテンツは、再設定メッセージのコンテンツに基づいて作成することができる。ＰＣ５−ＲＲＣメッセージのコンテンツは、ＵＥ−１とＵＥ−２との間の１対１のサイドリンク通信を介してＶ２Ｘアプリケーションのユーザトラフィックを送信するためにＵＥ−２によって適用することができる。
【００４９】
サイドリンク論理チャネルのリストはＰＣ５−ＲＲＣメッセージに含めることができ、各サイドリンク論理チャネルに対して、ＰＣ５−ＲＲＣメッセージは、以下のうちの少なくとも１つを含むことができる：
・  ユーザトラフィックに使用されるサイドリンク論理チャネルのアイデンティティ；
・  サイドリンク論理チャネルの優先度；
・  サイドリンク論理チャネルに関連付けられたサイドリンク論理チャネルグループ（ＬＣＧ）のアイデンティティ；および／または
・  サイドリンク論理チャネルにマップされたＱｏＳフローのアイデンティティ。
【００５０】
ＰＣ５−ＲＲＣメッセージに基づいて、ＵＥ−２は、Ｖ２Ｘアプリケーションのための少なくともサイドリンク論理チャネルを生成することができる。さらに、ＵＥ−２は、サイドリンク論理チャネルを対応するサイドリンクＬＣＧに関連付けることができる。追加的に、ＵＥ−２は対応するサイドリンク論理チャネルへのＱｏＳフローのマッピングを記憶することができる。
【００５１】
図１６は、第２のＵＥと１対１のサイドリンク通信を実行する第１のＵＥの観点からの１つの例示の実施形態によるフローチャート１６００である。ステップ１６０５では、第１のＵＥは、第１のネットワークノードから専用信号を受信し、専用信号は１対１のサイドリンク通信のための第１のサイドリンク設定を含む。ステップ１６１０では、第１のＵＥは、第２のサイドリンク設定を第２のＵＥに送信し、第２のサイドリンク設定は第１のサイドリンク設定に基づいて生成され、第２のＵＥが１対１のサイドリンク通信を設定するために使用される。
【００５２】
図３および図４に戻って参照すると、第２のＵＥと１対１のサイドリンク通信を実行する第１のＵＥの１つの例示の実施形態において、デバイス３００は、メモリ３１０に記憶されたプログラムコード３１２を含む。ＣＰＵ３０８はプログラムコード３１２を実行して、ＵＥが、（ｉ）第１のネットワークノードから専用信号を受信することであって、専用信号は、１対１のサイドリンク通信のための第１のサイドリンク設定を含む、受信することと、（ｉｉ）第２のサイドリンク設定を第２のＵＥに送信することであって、第２のサイドリンク設定は、第１のサイドリンク設定に基づいて生成され、第２のＵＥが１対１のサイドリンク通信を設定するために使用される、送信することと、をするのを可能にすることができる。さらに、ＣＰＵ３０８はプログラムコード３１２を実行して、本明細書に記載の上述のアクションおよびステップまたはその他のすべてを実行することができる。
【００５３】
図１７は、第１のＵＥと１対１のサイドリンク通信を実行する第２のＵＥ（ここで、第１のＵＥは第１のネットワークノードによってサービスされる）の観点からの一実施形態によるフローチャート１７００である。ステップ１７０５では、第２のＵＥは、第１のＵＥから第２のサイドリンク設定を受信し、第２のサイドリンク設定は、１対１のサイドリンク通信を設定するために使用される。ステップ１７１０では、第２のＵＥは、第２のサイドリンク設定に基づいて、１対１のサイドリンク通信でサイドリンク送信および／またはサイドリンク受信を実行する。
【００５４】
図３および図４に戻って参照すると、第１のＵＥと１対１のサイドリンク通信を実行する第２のＵＥ（ここで、第１のＵＥは第１のネットワークノードによってサービスされる）の１つの例示の実施形態において、デバイス３００はメモリ３１０に記憶されたプログラムコード３１２を含む。ＣＰＵ３０８はプログラムコード３１２を実行して、ＵＥが（ｉ）第１のＵＥから第２のサイドリンク設定を受信することであって、第２のサイドリンク設定は１対１のサイドリンク通信を設定するために使用される、受信することと、（ｉｉ）第２のサイドリンク設定に基づいて、１対１のサイドリンク通信でサイドリンク送信および／またはサイドリンク受信を実行することと、をすることを可能にすることができる。さらに、ＣＰＵ３０８はプログラムコード３１２を実行して、本明細書に記載の上述のアクションおよびステップまたはその他のすべてを実行することができる。
【００５５】
図１６および図１７に図示され、上述された実施形態に関連して、第２のサイドリンク設定は、第１のネットワークノードによって第１のＵＥに提供された第１のサイドリンク設定に基づいて生成することができる。さらに、第１または第２のサイドリンク設定は、１対１のサイドリンク通信のためのサイドリンク論理チャネルのアイデンティティ、１対１のサイドリンク通信のためのサイドリンク論理チャネルの優先度および／または信頼性、１対１のサイドリンク通信のためのサイドリンク論理チャネルのためのサイドリンク論理チャネルグループのアイデンティティ、および／または１対１のサイドリンク通信のためのサイドリンク論理チャネルのためのＱｏＳフローのアイデンティティを含むことができる。
【００５６】
一実施形態では、第２のサイドリンク設定は、ＰＣ５−ＲＲＣメッセージによって送信されることができる。さらに、第２のＵＥは、第１の基地局（例えば、ｇＮＢ）または第２の基地局（例えば、ｇＮＢ）によってサービスされる。
【００５７】
一実施形態において、第１のＵＥは開始側ＵＥであり、第２のＵＥはターゲット側ＵＥである。
【００５８】
代替的には、図１５Ｃに図示するように、ＵＥ−１はサービス要求メッセージ（例えば、Service  Request、ＮＡＳメッセージ）をコアネットワーク（例えば、Ｖ２Ｘ制御機能）に送信することができる。サービス要求メッセージでは、コンテンツは以下のうちの少なくとも１つを含むことができる：
・  ＵＥ−２のアイデンティティ；
・  Ｖ２Ｘアプリケーションのアイデンティティ；
・  Ｖ２Ｘアプリケーションによって提供されるサービスのアイデンティティ；
・  Ｖ２ＸアプリケーションまたはＶ２ＸサービスのためのＱｏＳフローのＰＣ５  ５ＱＩ；
・  Ｖ２ＸアプリケーションまたはＶ２ＸサービスのためのＱｏＳフローのＰＣ５  ＱｏＳパラメータ、レベル、またはプロファイル。
【００５９】
サービス要求メッセージにより、コアネットワークはコアネットワーク（例えば、Ｖ２Ｘ制御機能）とのＱｏｓフローのＰＣ５  ５ＱＩ、および／またはＱｏＳフローのＰＣ５  ＱｏＳパラメータ、レベル、またはプロファイルを検証することができる。コアネットワークは、基地局に再設定メッセージをＵＥ−１に提供することを示すことができる。サービス要求メッセージの受信に応答して、コアネットワークは、サービス承諾メッセージ（例えば、Service  Accept、ＮＡＳメッセージ）をＵＥ−１に送信することができる。一実施形態では、サービス応答メッセージは、再設定メッセージに含有されるか、あるいは含まれ得る。代替的には、サービス応答メッセージは、別のＲＲＣメッセージを介してＵＥ−１に送信され得る。
【００６０】
サイドリンク論理チャネルのリストを、再設定メッセージに含めることができ、各サイドリンク論理チャネルに対して、再設定メッセージは、以下のうちの少なくとも１つを含むことができる：
・  サイドリンクトラフィックに使用されるサイドリンク論理チャネルに関連付けられたサイドリンク無線ベアラのアイデンティティ；
・  サイドリンク論理チャネルのアイデンティティ；
・  サイドリンク論理チャネルの優先度；
・  サイドリンク論理チャネルに関連付けられたサイドリンク論理チャネルグループ（ＬＣＧ）のアイデンティティ；および／または
・  サイドリンク論理チャネルにマップされたＱｏＳフローのアイデンティティ。
【００６１】
サービス承諾メッセージでは、コンテンツは以下を含むことができる：
・  サイドリンクの論理チャネルに関連付けられたサイドリンクの無線ベアラのアイデンティティ；および／または
・  サイドリンク無線ベアラにマップされたＱｏＳフローのアイデンティティ。
【００６２】
上記の再設定メッセージおよびサービス承諾メッセージに基づいて、ＵＥ−１は、１対１のサイドリンク通信のために少なくともサイドリンク論理チャネルを生成することができる。さらに、ＵＥ−１は、サイドリンク論理チャネルを対応するサイドリンクＬＣＧと関連付けることができる。追加的に、ＵＥ−１は対応するサイドリンク論理チャネルへのＱｏＳフローのマッピングを記憶することができる。
【００６３】
代替的には、図１５Ｄに図示するように、ＵＥ−１はサービス要求メッセージ（例えば、Service  Request、ＮＡＳメッセージ）をコアネットワーク（例えば、Ｖ２Ｘ制御機能）に送信することができる。サービス要求メッセージでは、コンテンツは以下のうちの少なくとも１つを含むことができる：
・  ＵＥ−２のアイデンティティ；
・  Ｖ２Ｘアプリケーションのアイデンティティ；
・  Ｖ２Ｘアプリケーションによって提供されるサービスのアイデンティティ；
・  Ｖ２ＸアプリケーションまたはＶ２ＸサービスのためのＱｏＳフローのＰＣ５  ５ＱＩ；
・  Ｖ２ＸアプリケーションまたはＶ２ＸサービスのためのＱｏＳフローのＰＣ５  ＱｏＳパラメータ／レベル／プロファイル；および／または
・  Ｖ２ＸアプリケーションまたはＶ２ＸサービスのためのＱｏＳフローの５つのタプル（例えば、送信元ＩＰアドレス、宛先ＩＰアドレス、送信元ポート番号、宛先ポート番号およびプロトコルＩＤ）。
【００６４】
サービス要求メッセージにより、コアネットワークは、コアネットワーク（例えば、Ｖ２Ｘ制御機能）とのＱｏｓフローのＰＣ５  ５ＱＩおよび／またはＱｏＳフローのＰＣ５  ＱｏＳパラメータ／レベル／プロファイルを検証することができる。コアネットワークは基地局にＵＥ−１に再設定メッセージを提供することを示すことができる。サービス要求メッセージの受信に応答して、コアネットワークは、サービス承諾メッセージ（例えば、Service  Accept、ＮＡＳメッセージ）をＵＥ−１に送信することができる。一実施形態では、サービス応答メッセージは、再設定メッセージに含有されるか、あるいは含まれ得る。代替的には、サービス応答メッセージは、別のＲＲＣメッセージを介してＵＥ−１に送信され得る。
【００６５】
サイドリンク論理チャネルのリストを、再設定メッセージに含めることができ、各サイドリンク論理チャネルについて、再設定メッセージは、以下のうちの少なくとも１つを含むことができる：
・  サイドリンクトラフィックに使用されるサイドリンク論理チャネルに関連付けられたサイドリンク無線ベアラのアイデンティティ；
・  サイドリンク論理チャネルのアイデンティティ；
・  サイドリンク論理チャネルの優先度；および／または
・  サイドリンク論理チャネルに関連付けられたサイドリンク論理チャネルグループ（ＬＣＧ）のアイデンティティ。
【００６６】
サービス承諾メッセージでは、コンテンツは以下を含むことができる：
・  サイドリンクの論理チャネルに関連付けられたサイドリンク無線ベアラのアイデンティティ；および／または
・  サイドリンク無線ベアラに関連付けられたトラフィックフローテンプレート（ＴＦＴ：Traffic  Flow  Template）。
【００６７】
上記の再設定メッセージおよびサービス承諾メッセージに基づいて、ＵＥ−１は、１対１のサイドリンク通信のために少なくともサイドリンク論理チャネルを生成することができる。さらに、ＵＥ−１は、サイドリンク論理チャネルを対応するサイドリンクＬＣＧと関連付けることができる。追加的に、ＵＥ−１は、サイドリンク論理チャネルに関連付けられたＴＦＴを記憶することができる。
【００６８】
Ｖ．  ｅＶ２Ｘメッセージ転送（図１８に図示）
【００６９】
ＵＥ−１では、Ｖ２Ｘアプリケーションからのサイドリンクトラフィックが、ＵＥ−２への転送に利用可能とすることができる。この状況では、ＵＥ−１は、サイドリンクトラフィックの送信のためにサイドリンクリソースを割り当てるために、サイドリンクバッファステータスレポートを基地局に送信することができる。ＬＴＥ  ＳＬ  ＢＳＲのフォーマット（３ＧＰＰ  ＴＳ  ３６．３２１で論じられている）がサイドリンクバッファステータスレポートに再利用することができる。
【００７０】
ＵＥ−２との１対１のＳＬ通信中、ＵＥ−１は送信元ｇＮＢのカバレッジからターゲット側ｇＮＢのカバレッジに移動することがある。この状況では、送信元ｇＮＢはターゲット側ｇＮＢにＵＥ−１をハンドオーバしなければならない。ターゲット側ｇＮＢが１対１のＳＬ通信をサポートするために必要なサイドリンクリソースを提供し続けられるようにするために、送信元ｇＮＢは１対１のＳＬ通信に関連する特定のサイドリンク情報をターゲット側ｇＮＢに転送する必要がある。
【００７１】
例えば、送信元ｇＮＢは以下のうちの少なくとも１つを転送してよい：
・  宛先リストに含まれ得るＵＥ−２のアイデンティティ。；
・  Ｖ２Ｘアプリケーションのアイデンティティ；
・  Ｖ２Ｘアプリケーションによって提供されるサービスのアイデンティティ；
・Ｖ２ＸアプリケーションまたはＶ２ＸサービスのためのＱｏＳフローのＰＣ５  ５ＱＩ（少なくとも１つのＱｏＳフローがある）；および／または
・  Ｖ２ＸアプリケーションまたはＶ２ＸサービスのためのＱｏＳフローのＰＣ５のＱｏＳパラメータ、レベルまたはプロファイル（少なくとも１つのＱｏＳフローがある）。
【００７２】
送信元ｇＮＢからのサイドリンク情報により、ターゲット側ｇＮＢは、１対１のサイドリンク通信のために少なくとも１つのサイドリンク設定を決定し、ＵＥ−１に送信されたハンドオーバコマンド（例えば、RRCConnectionReconfigurationメッセージ）に含まれるように送信元ｇＮＢにサイドリンク設定を提供することができる。サイドリンク設定は、以下のうちの少なくとも１つを含むことができる：
・  宛先リストに含まれ得るＵＥ−２のアイデンティティ；
・  サイドリンクトラフィック送信に使用されるサイドリンク論理チャネルのアイデンティティ（少なくとも１つのサイドリンク論理チャネルがある）；
・  サイドリンク論理チャネルの優先度；
・  サイドリンク論理チャネルに関連付けられたサイドリンク論理チャネルグループ（ＬＣＧ）のアイデンティティ；および／または
・  サイドリンク論理チャネルにマップされたＱｏＳフローのアイデンティティ（サイドリンク論理チャネルの１つにマップされた少なくとも１つのＱｏＳフローがある）。
【００７３】
あるいは、送信元ｇＮＢは、ハンドオーバ手順が完了した後に使用するために、ＵＥ−１のための送信元ｇＮＢに格納されたサイドリンク設定をターゲット側ｇＮＢに送信するだけでもよい。例えば、送信元ｇＮＢは、メッセージをターゲット側ｇＮＢに送信することができ、メッセージは、ＵＥ−１とＵＥ−２との間の１対１のＳＬ通信に関連付けられたサイドリンク設定を含み、サイドリンク設定は、以下のうちの少なくとも１つを含むことができる：
・  宛先リストに含まれ得るＵＥ−２のアイデンティティ；
・  サイドリンクトラフィック送信に使用されるサイドリンク論理チャネルのアイデンティティ（少なくとも１つのサイドリンク論理チャネルがある）；
・  サイドリンク論理チャネルの優先度；
・  サイドリンク論理チャネルに関連付けられたサイドリンク論理チャネルグループ（ＬＣＧ）のアイデンティティ；および／または
・  サイドリンク論理チャネルにマップされたＱｏＳフローのアイデンティティ（１つのサイドリンク論理チャネルにマップされた少なくとも１つのＱｏＳフローがある）。
【００７４】
メッセージは、送信元ｇＮＢからターゲット側ｇＮＢに送信されるHandoverPreparationInformationとすることができる。ＵＥ−１が送信元ｇＮＢからターゲット側ｇＮＢにハンドオーバされた後、サイドリンク情報はターゲット側ｇＮＢによって使用することができる。必要に応じて、ターゲット側ｇＮＢはサイドリンク論理チャネル設定を修正し、ＵＥ−１に送信されたハンドオーバコマンドにおいて修正されたサイドリンク論理チャネル設定をＵＥ−１に提供してよい。ｇＮＢ間のハンドオーバの例を図１９に図示し、情報要素「mobilityControlInfo」を有するRRCConnectionReconfigurationメッセージはハンドオーバコマンドに対応する。
【００７５】
図２０は、１対１のサイドリンク通信でＵＥのモビリティを処理するための送信元ｇＮＢの観点からの、１つの例示の実施形態によるフローチャート２０００である。ステップ２００５では、送信元ｇＮＢはＵＥからサイドリンク情報を受信する。ステップ２０１０では、送信元ｇＮＢは、１対１のサイドリンク通信のためにＵＥに第１のサイドリンク設定を送信する。ステップ２０１５では、送信元ｇＮＢは、ＵＥに対するハンドオーバを準備するためにターゲット側ｇＮＢに第１のメッセージを送信し、メッセージは、サイドリンク情報または第１のサイドリンク設定を含む。
【００７６】
一実施形態では、サイドリンク情報は以下のうちの少なくとも１つを含むことができる。すなわち、第２のＵＥのアイデンティティ、Ｖ２Ｘアプリケーションのアイデンティティ、Ｖ２Ｘアプリケーションのためのサービスアイデンティティ、Ｖ２ＸアプリケーションまたはＶ２ＸサービスのためのＱｏＳフローのＰＣ５  ５ＱＩ、およびＶ２ＸアプリケーションまたはＶ２ＸサービスのためのＱｏＳフローのＰＣ５  ＱｏＳパラメータ、レベル、またはプロファイルである。
【００７７】
さらに、第１のサイドリンク設定は以下のうちの少なくとも１つを含むことができる。すなわち、第２のＵＥのアイデンティティ、サイドリンクトラフィック送信に使用されるサイドリンク論理チャネルのアイデンティティ、サイドリンク論理チャネルの優先度、サイドリンク論理チャネルに関連付けられるサイドリンク論理チャネルグループ（ＬＣＧ）のアイデンティティ、およびサイドリンク論理チャネルにマップされたＱｏＳフローのアイデンティティである。
【００７８】
一実施形態では、第１のメッセージはHandoverPreparationInformationとすることができる。さらに、送信元ｇＮＢは、ターゲット側ｇＮＢからハンドオーバコマンドを受信することができる。ハンドオーバコマンドは、第２のサイドリンク設定を含むことができ、第２のサイドリンク設定は、第１のサイドリンク設定と同じである。ハンドオーバコマンドはまた、第２のサイドリンク設定を含むことができ、第２のサイドリンク設定は、第１のサイドリンク設定とは異なる。
【００７９】
一実施形態では、送信元ｇＮＢは、ＵＥをターゲット側ｇＮＢにハンドオーバするためにＵＥに第２のメッセージを送信する。第２のメッセージは、RRCConnectionReconfigurationとすることができる。RRCConnectionReconfigurationは、ハンドオーバコマンドに従って生成することができる。RRCConnectionReconfigurationは、情報要素「mobilityControlInfo」を含むことができる。
【００８０】
図３および図４に戻って参照すると、１対１のサイドリンク通信でＵＥのモビリティを処理するための送信元ｇＮＢの１つの例示の実施形態では、デバイス３００は、メモリ３１０に記憶されたプログラムコード３１２を含む。ＣＰＵ３０８はプログラムコードを実行して、送信元ｇＮＢが、（ｉ）ＵＥからサイドリンク情報を受信することと、（ｉｉ）１対１のサイドリンク通信のためにＵＥに第１のサイドリンク設定を送信することと、（ｉｉｉ）ＵＥに対するハンドオーバを準備するためにターゲット側ｇＮＢに第１のメッセージを送信することであって、メッセージは、サイドリンク情報または第１のサイドリンク設定を含む、送信することと、をすることを可能にすることができる。さらに、ＣＰＵ３０８は、プログラムコード３１２を実行して、本明細書に記載の上述のアクションおよびステップまたはその他のすべてを実行することができる。
【００８１】
図２１は、ターゲット側ＵＥと１対１のサイドリンク通信を確立する開始側ＵＥ（ユーザ機器）の観点からの１つの例示の実施形態によるフローチャート２１００である。ステップ２１０５では、開始側ＵＥは、１対１のサイドリンク通信を確立するために使用される第１のＰＣ５シグナリングを送信し、第１のＰＣ５シグナリングは、ターゲット側ＵＥのアイデンティティおよびＶ２Ｘ（Vehicle-to-Everything）サービスのアイデンティティを含む。
【００８２】
一実施形態では、開始側ＵＥは、ディスカバリ手順または１対多のサイドリンク通信を介して、ターゲット側ＵＥの存在を認識することができる。さらに、開始側ＵＥは、ターゲット側ＵＥからの１つ以上のＶ２Ｘメッセージの受信を介して、ターゲット側ＵＥの存在を認識することができる。第１のＰＣ５シグナリングは、Ｖ２Ｘサービスを提供するＶ２Ｘアプリケーションのアイデンティティ、開始側ＵＥのアイデンティティ、および／または要求されたＶ２ＸアプリケーションまたはＶ２ＸサービスのためのＱｏＳフローのＰＣ５  ５ＱＩ、ＱｏＳ（Quality  of  Service）パラメータ、またはのＰＣ５  ＱｏＳプロファイルを含むことができる。
【００８３】
一実施形態では、第１のＰＣ５シグナリングは、Ｖ２ＸサービスまたはＶ２Ｘアプリケーションに関連付けられたブロードキャストアドレスに送信することができる。第１のＰＣ５シグナリングは、直接通信要求メッセージとすることができる。
【００８４】
一実施形態では、開始側ＵＥは、ターゲット側ＵＥから第２のＰＣ５信号を受信することができ、第２のＰＣ５シグナリングは、１対１のサイドリンク通信の確立を完了するために使用される。第２のＰＣ５シグナリングには、承諾されたＶ２ＸアプリケーションまたはＶ２ＸサービスのためのＰＣ５  ＱｏＳフローのＰＣ５  ５ＱＩ、ＱｏＳパラメータまたはＱｏＳプロファイルを含むことができる。第２のＰＣ５シグナリングは、直接通信承諾メッセージとすることができる。
【００８５】
図３および図４に戻って参照すると、ターゲット側ＵＥと１対１のサイドリンク通信を確立する開始側ＵＥの１つの例示の実施形態では、デバイス３００は、メモリ３１０に記憶されたプログラムコード３１２を含む。ＣＰＵ３０８はプログラムコード３１２を実行して、開始側ＵＥが、１対１のサイドリンク通信を確立するために使用される第１のＰＣ５シグナリングを送信し、第１のＰＣ５シグナリングは、ターゲット側ＵＥのアイデンティティおよびＶ２Ｘ（Vehicle-to-Everything）サービスのアイデンティティを含む,
送信することをするのを可能にすることができる。さらに、ＣＰＵ３０８は、プログラムコード３１２を実行して、本明細書に記載の上述のアクションおよびステップまたはその他のすべてを実行することができる。
【００８６】
以上、本開示の種々の態様を説明した。当然のことながら、本明細書の教示内容を多種多様な形態で具現化することができ、本明細書に開示したいかなる特定の構造、機能、または両者も代表的なものに過ぎない。本明細書の教示内容に基づいて、当業者には当然のことながら、本明細書に開示した態様を、他のいかなる態様からも独立に実装することができ、これら態様のうちの２つ以上を種々組み合わせることができる。例えば、本明細書に記載した態様のうちの任意の数の態様を用いて、装置を実装することができ、方法を実現することができる。追加的に、本明細書に記載した態様のうちの１つ以上の追加または代替で、他の構造、機能、または構造と機能を用いて、このような装置を実装することができ、このような方法を実現することができる。上記概念の一部の一例として、いくつかの態様においては、パルス繰り返し周波数に基づいて、同時チャネルを確立することができる。いくつかの態様においては、パルス位置またはオフセットに基づいて、同時チャネルを確立することができる。いくつかの態様においては、時間ホッピングシーケンスに基づいて、同時チャネルを確立することができる。いくつかの態様においては、パルス繰り返し周波数、パルス位置またはオフセット、および時間ホッピングシーケンスに基づいて同時チャネルを確立することができる。
【００８７】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【００８８】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【００８９】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【００９０】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【００９１】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【００９２】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
2020102842.tif 000023
【図２】
2020102842.tif 000024
【図３】
2020102842.tif 000025
【図４】
2020102842.tif 000026
【図５】
2020102842.tif 000027
【図６】
2020102842.tif 000028
【図７】
2020102842.tif 000029
【図８】
2020102842.tif 000030
【図９】
2020102842.tif 000031
【図１０】
2020102842.tif 000032
【図１１】
2020102842.tif 000033
【図１２】
2020102842.tif 000034
【図１３】
2020102842.tif 000035
【図１４】
2020102842.tif 000036
【図１５Ａ】
2020102842.tif 000037
【図１５Ｂ】
2020102842.tif 000038
【図１５Ｃ】
2020102842.tif 000039
【図１５Ｄ】
2020102842.tif 000040
【図１６】
2020102842.tif 000041
【図１７】
2020102842.tif 000042
【図１８】
2020102842.tif 000043
【図１９】
2020102842.tif 000044
【図２０】
2020102842.tif 000045
【図２１】
2020102842.tif 000046
【外国語明細書】
2020102842000001.pdf